(57)【要約】【課題】  擬似電子シャッタ音が録音中に混入して再生時にシャッタ音が再生されないようにシャッタ音区間のシャッタ音を除去または減衰させる。【解決手段】  擬似電子シャッタ音データ部１８から発生するシャッタ音と効果音データ部１９に予め格納した逆相のシャッタ音を電子シャッタ音の発生後に音をミキシングして相殺した状態で録音信号を記録する。【選択図】        図１
2005184667.tif 000002
【特許請求の範囲】
【請求項１】
マイクロホンから収音したオーディオ信号を記録再生する記録再生手段を有し、
該記録再生手段が動作中に撮像手段のシャッタ操作が行なわれたとき、シャッタ音データと逆位相のシャッタ音データを出力させて互に相殺させてシャッタ音を出力させないように成したことを特徴とする撮像手段を有する電子機器。
【請求項２】
マイクロホンから収音したオーディオ信号を記録再生する記録再生手段を有し、
記録再生手段が動作中に撮像手段のシャッタ操作が行なわれたとき、シャッタ音データと逆位相のシャッタ音データを出力させて互に相殺させて電子シャッタ音を出力させないように成したことを特徴とする記録再生手段を有する撮像装置。
【請求項３】
マイクロホンから収音したオーディオ信号を記録再生する記録再生手段を有し、該記録再生手段が動作中に撮像手段のシャッタ操作が行なわれたとき、シャッタ音データの出力に代わって効果音データを出力するように成したことを特徴とする撮像手段を有する電子機器。
【請求項４】
マイクロホンから収音したオーディオ信号を記録再生する記録再生手段が動作中に撮像手段のシャッタ操作が行なわれたとき、シャッタ音データの出力に代わって効果音データを出力するように成したことを特徴とする記録再生手段を有する撮像装置。
【請求項５】
被写体画像を撮像する撮像手段と、
撮像時のオーディオ信号を録音するマイクロホンと、
上記マイクロホンからの上記オーディオ信号を記録再生する記録再生手段と、
上記撮像手段の撮像開始を指示するシャッタと、
上記シャッタが操作されたときシャッタ音を発生するシャッタ音発生手段と、
上記記録再生手段の入力系に設けたミキシング手段と、
少なくとも上記シャッタ音発生手段を制御する制御手段と、
上記マイクロホンから収音した上記オーディオ信号を上記記録再生手段で記録中に上記シャッタが操作された時に上記シャッタ音発生手段から出力するシャッタ音と逆位相のシャッタ音を上記ミキシング手段に出力するように制御する上記制御手段とを具備し、上記２つのシャッタ音を互に相殺させて、該シャッタ音を出力させないように成したことを特徴とする撮像手段を有する電子機器。
【請求項６】
被写体画像を撮像する撮像手段と、
撮像時のオーディオ信号を録音するマイクロホンと、
上記マイクロホンから上記オーディオ信号を記録再生する記録再生手段と、
上記撮像手段の撮像開始を指示するシャッタと、
上記シャッタが操作されたときシャッタ音を発生するシャッタ音発生手段と、
上記記録再生手段の入力系に設けたミキシング手段と、
少なくとも上記ミキシング手段と上記シャッタ音発生手段を制御する制御手段と、
上記マイクロホンから収音した上記オーディオ信号を上記記録再生手段で記録中に上記シャッタが操作された時に上記シャッタ音発生手段から出力するシャッタ音と逆位相のシャッタ音を上記ミキシング手段に出力するよう制御する上記制御手段とを具備し、上記２つのシャッタ音を互に相殺させて、該シャッタ音を出力させないように成したことを特徴とする記録再生手段を有する撮像装置。
【請求項７】
被写体画像を撮像する撮像手段と、
撮像時のオーディオ信号を録音するマイクロホンと、
上記マイクロホンからの上記オーディオ信号を記録再生する記録再生手段と、
上記撮像手段の撮像開始を指示するシャッタと、
上記シャッタが操作されたときシャッタ音を発生するシャッタ音発生手段と、
上記記録再生手段の入力系に設けたミキシング手段と、
上記シャッタ発生手段のシャッタ音とは異なる特殊音を発生する特殊音発生手段と、
少なくとも上記シャッタ音発生手段と上記特殊音発生手段を制御する制御手段と、
上記マイクロホンから収音した上記オーディオ信号を上記記録再生手段で記録中に上記シャッタが操作された時に上記シャッタ音発生手段から出力するシャッタ音に代わって上記特殊音発生手段からの特殊音を上記ミキシング手段に出力するように制御する制御手段、とを具備し、
上記シャッタ発生手段のシャッタ音を出力させないように成したことを特徴とする撮像手段を有する電子機器。
【請求項８】
被写体画像を撮像する撮像手段と、
撮像時のオーディオ信号を録音するマイクロホンと、
上記マイクロホンからの上記オーディオ信号を記録再生する記録再生手段と、
上記撮像手段の撮像開始を指示するシャッタと、
上記シャッタが操作されたときシャッタ音を発生するシャッタ音発生手段と、
上記記録再生手段の入力系に設けたミキシング手段と、
上記シャッタ発生手段のシャッタ音とは異なる特殊音を発生する特殊音発生手段と、
少なくとも上記シャッタ音発生手段と上記特殊音発生手段を制御する制御手段と、
上記マイクロホンから収音した上記オーディオ信号を上記記録再生手段で記録中に上記シャッタが操作された時は上記シャッタ音発生手段から出力する音に代えて上記特殊音発生手段からの特殊音を上記ミキシング手段に出力するように制御する制御手段、
とを具備し、
上記シャッタ発生手段のシャッタ音を出力させないように成したことを特徴とする記録再生手段を有する撮像装置。
【発明の詳細な説明】
【技術分野】
【０００１】
本発明は、携帯用記録再生装置にカメラ等の撮像手段を有する電子機器およびデジタルカメラ等に記録再生機能を有する記録再生手段を有する撮像装置に係わり、特にシャッタ音を付加した撮像手段を記録時に消音する様にした撮像手段を有する電子機器および記録再生手段を有する撮像装置に関する。
【背景技術】
【０００２】
従来から、フィルムを利用したカメラ、あるいは、ＣＣＤ等を用いて、被写体の撮像を行なうデジタル型の電子カメラにおいて撮像した画像を記憶したメモリから再生し、ＬＣＤ等の表示手段に表示する様になし、画像だけでなく、音声も録音するようにした電子カメラの情報入力装置が特許文献１に開示されている。
【０００３】
図８は特許文献１に開示された情報入力装置のフローチャートを示すものであり、上述の電子カメラでは従来のフィルムを用いたカメラの場合と同様に、シャッタが切れる音を電気的に発生させ、このシャッタ録音させた音によって、ユーザは、所定の被写体が撮影され、その画像の記録が行なわれたことを認識することができる。
【０００４】
この様な電子カメラで上述のシャッタ録音の音をレリーズスイッチが操作され、所定の被写体の撮影が指示されたとき、シャッタ録音の出力を行なわないようになしたものが、図８に示されている。
【０００５】
図８において、ステップＳ１でＣＰＵにより、操作スイッチまたはタッチプレートが操作されたか否かが判定される。操作されていないと判定された場合、ステップＳ１の頭に戻り、ステップＳ１の処理が繰り返される。一方、操作スイッチまたはタッチプレートが操作されたと判断されるとステップＳ２に進み、レリーズスイッチが押されたか否かが判定される。
【０００６】
ステップＳ２でレリーズスイッチが押されたと判定された場合、ステップＳ３に進み、現在、音声を記録中であるか否かが判定される。現在、音声を記録中であると判定された場合、ステップＳ４に進み、シャッタ録音を消し（出力しないようにし）、ファインダのアイピース内に設けた発光ダイオードを点灯させて、被写体の画像をメモリカードに記録させる動作が開始されたことをユーザに視覚的に確認させることができる。
【０００７】
一方、音声を記録中でないと判定された場合、ステップＳ６に進み、シャッタ録音の音を出力し、ユーザに対して、被写体の画像の撮像動作が開始されたことを聴覚的に確認させる。
【０００８】
次に、ステップＳ５に進み、撮像した画像メモリカードに記録する。その後ステップＳ１に戻り、ステップＳ１以降の処理が繰り返し実行される。
【０００９】
また、ステップＳ２において、レリーズスイッチ以外の操作スイッチやタッチプレートが操作されたと判定された場合、ステップＳ７に進み、現在、音声を記録中であるか否かが判定され、音声を記録中であると判定された場合、操作に対応する効果音の出力を行なわず、一方、音声を記録中でないと判定した場合、ステップＳ８に進み、操作に対応する所定の効果音を出力させた後、ステップＳ９のように操作に対応する処理を実行する。
【００１０】
以上のように、音声を記録している場合はシャッタ録音やその他の効果音の出力を中止し、シャッタ録音や効果音が音声とともにメモリカードに記録されることがないようにした入力情報装置が示されている。
【００１１】
また、ビデオカメラによる撮像と、銀塩カメラによる撮影とを同時に行なえるように、これらを一体化した装置が提案されている。このような装置では、銀塩カメラのシャッタ音やフィルムの巻き上げ、巻き戻しの動作音は銀塩カメラの使用時には問題にならないが、ビデオカメラと一体化したことにより、その音が直接ビデオ側のマイクロホンに入力してしまうため、ビデオ撮影時の音質が損なわれることになる。
【００１２】
上述の課題を防ぐためにビデオ撮影中に銀塩カメラを使用しても、その操作音を収録してしまうことのない画像および音声記録装置が特許文献２に開示されている。
【００１３】
上述の特許文献２には記録手段の動作音の低減もしくは削除方法として、図９に示すタイムチャートのように、通常のビデオ撮影中はアンプのゲインは通常レベルに設定され、通常の録音が行なわれる。この時、銀塩カメラ側のシャッタが図９（Ａ）のように押されて、図９（Ｂ）のようにシャッタ音が発生すると制御回路はシャッタスタート信号を検出し、シャッタ音発生期間だけ図９（Ｃ）のようにアンプのゲインを下げる（または零にする）方法、スタート信号を検出し、シャッタ音発生期間だけ、シャッタ音に対し、その音を減衰させるフィルタを選択する方法、係数可変フィルタを音声回路中に配し、係数データ発生回路からの係数によって係数可変フィルタの係数を変化させて銀塩側で発生する録音を除去または減衰させるように成した画像および音声記録装置が開示されている。
【００１４】
上述の特許文献１および特許文献２に示されているようにシャッタ録音を除去するようになすことで、再生時に快適に音声を聞くことができるが、アンプのゲインをシャッタ録音期間中だけ下げるようになすような方法では通常に録音されている録音信号のゲインも下げられるなどの問題を生じ、フィルタを用いる場合などでは回路が複雑化するなどの問題を生ずる。
【特許文献１】特開平９−３３１５０２号公報
【特許文献２】特開平８−９３１７号公報
【発明の開示】
【発明が解決しようとする課題】
【００１５】
本発明は叙上の課題を解消するためになされたもので、発明が解決しようとする課題はシャッタ音の区間を予めシャッタ音として記録していたシャッタの音を用いて簡単にシャッタ期間のシャッタ録音の音を除去あるいは減衰させると共に、シャッタ音の区間を別の効果音を用いて録音するようにして、シャッタ音などのように不快な音以外の音響信号記録によって再生時に違和感のない記録再生手段を有する電子機器および記録再生手段を有する撮像装置を得るようにしたものである。
【課題を解決するための手段】
【００１６】
本発明はマイクロホンから収音したオーディオ信号を記録再生する記録再生手段を有し、記録再生手段が動作中に撮像手段のシャッタ操作が行なわれたとき、シャッタ音データと逆位相のシャッタ音データを出力させて互に相殺させてシャッタ音を出力させないように成したことを特徴とする撮像手段を有する電子機器としたものである。
【００１７】
本発明はマイクロホンから収音したオーディオ信号を記録再生する記録再生手段が動作中は撮像手段のシャッタ操作が行なわれたとき、シャッタ音データと逆位相のシャッタ音データを出力させて互に相殺させてシャッタ音を出力させないように成したことを特徴とする記録再生手段を有する撮像装置としたものである。
【００１８】
本発明はマイクロホンから収音したオーディオ信号を記録再生する記録再生手段を有し、記録再生手段が動作中に撮像手段のシャッタ操作が行なわれたとき、シャッタ音データの出力に代わって効果音データを出力するように成したことを特徴とする撮像手段を有する電子機器としたものである。
【００１９】
本発明はマイクロホンから収音したオーディオ信号を記録再生する記録再生手段が動作中に撮像手段のシャッタ操作が行なわれたとき、シャッタ音データの出力に代わって効果音データを出力するように成したことを特徴とする記録再生手段を有する撮像装置としたものである。
【発明の効果】
【００２０】
本発明の撮像手段を有する電子機器および記録再生手段を有する撮像装置によると、位相反転を行なうだけでシャッタ音を録音しない構成を簡単に得ることができる。
また電子的なシャッタ音に変えて、効果音をシャッタ音中に出力するようにしたので再生時に快適にオーディオ信号を聞くことができる。
【発明を実施するための最良の形態】
【００２１】
本発明の撮像手段を有する電子機器としては、例えば、カメラ付の携帯電話器、カメラ付きの携帯用記録再生装置、カメラ付きＰＤＡ（個人用携帯端末）等のミニディスク（ＭＤ）、フラッシュメモリ、ＨＤＤ等のメディアに音声録音機能と撮像機能を搭載した電子機器に適用できる。また記録再生機能を有する撮像装置としては音声録音機能付きデジタルカメラや音声録音機能付きカメラ一体型ＶＴＲ、音声録音機能付きカメラ一体型ＨＤＤ等に適用可能である。
【００２２】
以下、本発明の１形態例を図１乃至図４によって詳記する。図１は本発明の１形態例を示す録音機能付きデジタルカメラのブロック図、図２は本発明の１形態例を示すデジタルカメラの外観図、図３は本発明の１形態例を示す記録時のシャッタ音相殺方法を示すフローチャート、図４は本発明の１形態例を示す記録時のシャッタ音相殺方法の動作を示すタイミングチャートである。
【００２３】
図１のブロック図の説明に先だち図２によって、本発明の記録再生手段を有する撮像装置としてＨＤＤ内にオーディオ信号が記録可能なデジタルカメラについて全体的構成を説明する。
【００２４】
図２（Ａ）（Ｂ）において、図２（Ａ）はデジタルカメラの正面図、図２（Ｂ）は背面図を示すもので、略長方形状の筐体で構成したカメラ本体１の上面部には図２（Ａ）のようにカメラ部２を構成するレンズ３を有する。カメラ本体１の筐体にはマイクロホン５、オーディオ信号の記録再生可能なＭＤ等の記録媒体７ｂの画像データおよびオーディオ信号の記録、再生が可能なＨＤＤ等の記録媒体７ａを内蔵もしくは着脱可能と成されている。
【００２５】
カメラ本体１の背面には図２（Ｂ）の様にＬＣＤ等のモニタ兼ファインダと成る表示装置４やシャッタ等の操作釦群８が配設され、携帯に便なるように小型軽量に構成されている。
【００２６】
上述のカメラ本体１内の回路構成を図１のブロック図で説明する。図１において、カメラ部２はレンズ３およびカメラモジュール９で構成され、カメラモジュール９内にＣＯＭＯＳ、ＣＣＤ等の受光素子９ａやＣＰＵ９ｃから構成した信号処理部９ｂ等を有する。
【００２７】
カメラモジュール９の出力はシステムＬＳＩ１０内のカメラ用Ｉ／Ｆ１０ａに供給されている。システムＬＳＩ１０内には、ＲＡＭ用Ｉ／Ｆ１０ｂ、ＪＰＥＧ用のエンコーダおよびデコーダ１０ｃ、ＵＳＢ用Ｉ／Ｆ１０ｄ、コ−デック用Ｉ／Ｆ１０ｅ、ＣＰＵ用Ｉ／Ｆ１０ｇ、ＨＤＤ用Ｉ／Ｆ１０Ｊ、ＤＭＡＣ（ダイレクト・メモリ・アクセス・コントローラ）１０ｆが内蔵され、ＲＡＭＩ／Ｆ１０ｂはバッファＲＡＭ１１に接続されＵＳＢＩ／Ｆ１０ｄはＵＳＢ（２．０）１２を介してパーソナルコンピュータ１３に接続され、ＨＤＤＩ／Ｆ１０ＪはＨＤＤ１４に接続されている。
【００２８】
さらに、システムＬＳＩ１０内のＣＰＵＩ／Ｆ１０ｇはバスを介して制御回路を構成するコンピュータ（ＣＰＵ）１５に接続されている。ここで１６，１７はワーク用のＲＡＭ、ＲＯＭ（フラッシュＲＡＭ）であり、ＣＰＵ１５は表示装置４と接続され、画像、各種データの表示を行なう。
【００２９】
また、ＣＰＵ１５はシャッタ釦８ａに接続され、電子シャッタ音データが予め格納された電子シャッタ音データ部１８、効果音データが格納された効果音データ部１９、コーデックエンコーダ２２を制御する。
【００３０】
記録、再生装置を構成する入出力系路は、マイクロホン５から入力されたオーディオ信号はマイクロアンプ２０を経て増幅された後にアナログ−デジタル変換器（ＡＤＣ）２１を介して、デジタルデータに変換され、コーデック２２でエンコードされた後にデジタルミキサー２３に供給される。デジタルミキサー２３では効果音データ部１９からの所定の例えばＰＢ音効果音がミキシングされる。デジタルミキサー２３はコ−デックデコーダ２４とシステムＬＳＩ１０内のコーデックＩ／Ｆ１０ｅに接続されている。
【００３１】
さらに、オーディオ信号の出力系路はコーデック用デコーダ２４でデコードされたオーディオデータはデジタルミキサー２５に供給される。デジタルミキサー２５内では電子シャッタ音データ部１８に予め格納した擬似電子シャッタ音データがミキシングされる。ミキシング後のミキシングデータはデジタル−アナログ変換器（ＤＡＣ）２６でアナログのオーディオ信号に変換されて、オーディオアンプ２７で電力増幅された後にヘッドホン２８やスピーカ２９に出力されて放音される。
【００３２】
図１で、３０は充電装置、３２は直流入力端子、３３は各回路に電源電圧を供給するための電源回路、Ｅは電池等の電圧源である。
【００３３】
上述の構成でデジタルカメラ本体１が録音モードになればＣＰＵ１５は各回路を録音モードにし、マイクロホン５から入って来るオーディオ信号はＡＤＣ２１を通ってコーデックエンコーダ２２でエンコードされる。このコーデックエンコーダ２２にミュート機能を持たすことでシャッタ釦８ａが押圧されて電子シャッタ音が放音される期間をミュートさせることもできる。
【００３４】
またデジタルミキサー２３は効果音や逆相擬似シャッタ音を予め記録したデジタルデータを電子シャッタ音が放音される期間にミキシングして、システムＬＳＩのコーデックＩ／Ｆ１０ｅを介してＨＤＤ１４にオーディオ信号を記録するように成されている。
【００３５】
上述の様にＨＤＤ１４にオーディオ信号を記録中にユーザがカメラ部２で画像データを取り込むためにシャッタ釦８ａを押圧すると、電子シャッタ音が付加されているため、このシャッタ音をマイクロホン５が拾ってＨＤＤ１４内に録音されることになる。
【００３６】
この様な弊害を除くための本発明のシャッタ音を消去する方法を図３のフローチャートおよび図４のタイミングチャートで説明する。
【００３７】
図３および図４は予め逆相擬似シャッタ音を効果音データ部１９内に格納し、正相擬似シャッタ音と逆相の擬似シャッタ音を加算させて互にキャンセルさせることでシャッタ音の鳴音期間のシャッタ音を減衰あるいは除去しようとするものである。
【００３８】
図３のステップＳＴ１ではＣＰＵ１５は録音開始されたか否かを判定する。ＮＯであれば８ステップＳ１の頭に戻されて、常時録音開始状態を監視する。録音開始されたと判定すると、ステップＳＴ２に進められて、シャッタ釦８ａがオンされたか否かの判定が成される。
【００３９】
ステップＳＴ２でシャッタ釦８ａがオンされていないＮＯの状態ではステップＳＴ６で録音状態が終了か否かを判定し、ＮＯであればステップＳＴ２の頭に戻され、シャッタ８ａのオンされない状態を常時監視する。録音終了状態のＹＥＳではステップＳＴ１の頭に戻されて、録音開始状態の監視をＣＰＵ１５が行なうようになされ、ステップＳＴ２でシャッタ８ａが押圧された状態をＣＰＵ１５が判定する（図４（Ａ）３３参照）と、ＣＰＵ１５は通常の動作通りに図４（Ｂ）のように電子シャッタ音データ部１８に正相のシャッタ音を出力する指令３４を出す。
【００４０】
上述の指令に基づいて、図４（Ｃ）に示すように正相のシャッタ音３５が外部スピーカ２９を介して放音される。この状態では図４（Ｄ）のタイミングチャートのようにシャッタ音３５と録音中のオーディオ信号３６とは互に重畳される。
【００４１】
この状態でステップＳＴ３のように逆相擬似シャッタ音を「オン」状態に成るようにラインＣＴＬ−Ｂを介して効果音データ部１９を制御することで、予め効果音データ部１９に格納されていた電子シャッタ音データ部１８からの正相シャッタ音と１８０度位相の異なる逆相擬似シャッタ音３７が出力されて正相擬似シャッタ音３５と相殺されて除去あるいは減衰されて図４（Ｆ）のようにシャッタ音の鳴音期間のシャッタ音を取り除くことが出来る。
【００４２】
次のステップＳＴ４ではシャッタ釦８ａの「オフ」状態が監視され、「オフ」状態に成ればステップＳＴ５に示すように逆相擬似シャッタ音を「オフ」にしてステップＳＴ２に戻してシャッタ釦８ａの押圧状態を監視させるように成せばよい。
【００４３】
次に図５および図６に基づいて、シャッタ音を除去した部分に別の効果音を記録する場合の構成を図５および図６のフローチャートおよびタイミングチャートによって説明する。
【００４４】
図５および図６はシャッタ鳴音期間に擬似シャッタ音でなく別の効果音を入れることで録音済データを再生した時の不快さをなくすと共に編集時の画像データとの照合マーカとして使用できるように成したものである。
【００４５】
図５において、ステップＳＴＥ１では録音開始状態をＣＰＵ１５は監視し、ステップＳＴＥ２によってシャッタ「オン」の状態を判定し、シャッタ釦８ａが「オン」状態でなければステップＳＴＥ８に進んで録音終了状態か否かの判定を行なって録音終了状態ではステップＳＴＥ１の頭に戻され、録音終了でない場合はステップＳＴＥ２の頭に戻されて録音開始状態およびシャッタ釦８ａの「オン」状態の監視が行なわれる。
【００４６】
ステップＳＴＥ２でシャッタ８ａが図６（Ａ）の波形３３のように「オン」されるとＣＰＵ１５は電子シャッタ音データ部１８に図４（Ｂ）の波形３４のようにシャッタ音を出力するように命令を出す。電子シャッタ音データ部１８からのシャッタ音はデジタルミキサー２５およびＤＡＣ２５を介してアナログ変換されスピーカ２９等に図６（Ｃ）の波形３５のように放音される。
【００４７】
このスピーカ２９から放音されたシャッタ音３５は図６（Ｄ）の波形３５に示すようにマイクロホン５から入力されている録音オーディオ信号３６に重畳されることになる。
【００４８】
そこで、本発明では図５のステップＳＴＥ３に示すようにＣＰＵ１５はＣＴＬ−Ａラインを介して、エンコーダ用コーデック２２に制御信号を供給して、エンコーダ用コーデック内のミュート機能を図６（Ｅ）の波形３８のようにミュートさせる。
【００４９】
次に、ＣＰＵ１５は図５のステップＳＴＥ４のようにＣＴＬ−Ｂラインを介して効果音データ部１９を制御して効果音を発生するように指令を与えることで効果音データ部１９は図６（Ｆ）の波形３９データをデジタルミキサー２３に供給することで図６（Ｇ）の波形３８＋３９に示す様に録音オーディオ信号３６に効果音がミキシングされる。
【００５０】
その後、ＣＰＵ１５はステップＳＴＥ５のようにシャッタ釦８ａの「オフ」状態をみて「オフ」された場合にはステップＳＴＥ６でミュートを「オフ」し、さらにステップＳＴＥ７で擬似効果音データ部１９を「オフ」させるように成し、ステップＳＴＥ２に戻すように成せばよい。
【００５１】
上述の構成ではオーディオ出力系路のデジタルミキサー２５に電子シャッタ音データを供給した場合を説明したが図７に示すようにオーディオアンプにアナログ電子シャッタ音を供給してミキシングするようにしてもよい。尚、図７で図１との対応部分には同一符号を付して重複説明を省略する。またエンコード用コーデック２２を用いてシャッタ音の区間のオーディオ信号を記録しないように構成させることもできる。また、上述の構成では、予め記録した逆位相の電子シャッタ音を用いてＣＰＵ１５により電子シャッタ音を相殺したが、ハード構成の位相反転回路を設けて相殺するようにしても良い。
【００５２】
本発明の構成によるとシャッタ音を録音しないので再生時に快適に音声を聞くことができる。また画像と音声のタイミングを編集時に挿入した効果音を基に自由にずらすことができる。さらに、シャッタのタイミングをＣＰＵ１８が知っているのでデジタルＡＧＣ等へフィードバックを掛けることで急激に音を小さくなるような弊害を防ぐことができる。
【図面の簡単な説明】
【００５３】
【図１】本発明の１形態例を示す録音機能付デジタルカメラのブロック図である。
【図２】本発明の１形態例を示す録音機能付デジタルカメラの正面および背面図である。
【図３】本発明のシャッタ音を相殺させるための動作フローチャートである。
【図４】本発明のシャッタ音を相殺させるための動作説明タイミングチャートである。
【図５】本発明のシャッタ音期間に別効果音記録するための動作フローチャートである。
【図６】本発明のシャッタ音期間に別効果音記録するための動作説明タイミングチャートである。
【図７】本発明の他の構成を示すブロック図である。
【図８】従来の録音中にシャッタ音を出力させないための動作説明用フローチャートである。
【図９】従来のシャッタ音をゲインコントロールする場合の波形説明図である。
【符号の説明】
【００５４】
１‥‥カメラ本体、２‥‥カメラ部、３‥‥レンズ、４‥‥表示装置、５‥‥マイクロホン、７ａ，７ｂ‥‥記録媒体（ＭＤ）（ＨＤＤ）、８ａ‥‥シャッタ、１５‥‥ＣＰＵ、１８‥‥電子シャッタ音データ部、１９‥‥効果音データ部、２２‥‥エンコーダ用コーデック、２３，２５‥‥デジタルミキサー、２４‥‥デコーダ用コーデック
【図１】
2005184667.tif 000003
【図２】
2005184667.tif 000004
【図３】
2005184667.tif 000005
【図４】
2005184667.tif 000006
【図５】
2005184667.tif 000007
【図６】
2005184667.tif 000008
【図７】
2005184667.tif 000009
【図８】
2005184667.tif 000010
【図９】
2005184667.tif 000011